(57)【要約】【課題】断面形状が多角形の被着物の外周面にフィルムを高速でかつ綺麗に巻着できる、フィルム巻着装置を提供すること。【解決手段】貼付ドラムの外周面の一部に、被着物の回転を許容する逃げ部を凹設するとともに、逃げ部を形成した貼付ドラムの外周面にフィルムの吸着長さを補完する中間補完部を隆起させて、または窪ませて形成した。【選択図】図１
2008308198.tif 000002
【特許請求の範囲】
【請求項１】
少なくともフィルム供給手段と、断面形状が多角形を呈する被着物の搬送手段と、前記両手段の間に配設した負圧吸引式の貼付ドラムとを具備し、フィルム供給手段から供給されたフィルムを貼付ドラムの外周面に吸着して移送しつつ、被着物の搬送手段によりフィルムの供給と同期して搬送される被着物を回転させながら被着物の外周面の全周にフィルムを巻き付け、該フィルムの前端部に後端部を貼り合わせるフィルムの巻着装置であって、
前記貼付ドラムの外周面の一部に、被着物の回転を許容する逃げ部を凹設するとともに、
逃げ部を形成した貼付ドラムの外周面にフィルムの吸着長さを補完する中間補完部を隆起させて、または窪ませて形成したことを特徴とする、
フィルム巻着装置。
【請求項２】
請求項１において、フィルムが感熱接着性フィルムであることを特徴とする、ラベル貼付装置。
【請求項３】
請求項１において、貼付ドラムの逃げ部を形成した外周面と中間補完部の外周面とに複数の吸引孔を形成してフィルムの全体を吸着可能に構成したことを特徴とする、ラベル貼付装置。
【発明の詳細な説明】
【技術分野】
【０００１】
本発明は断面形状が多角形を呈する被着物の胴部全周に帯状のフィルムを巻き付けて巻着するフィルム巻着装置に関するものである。
【背景技術】
【０００２】
帯状のフィルムを容器等の被着物の胴部に全周に巻き付けて装着することが特許文献１により開示されている。
フィルムの巻着方法について説明すると、帯状のフィルムの始端部を被着物胴部の外周面に貼り付けた後、被着物を一方向に向け回転させて感熱フィルムを被着物胴部に巻き付け、最後に感熱フィルムの後端部を始端部に重ね合わせて貼着することで、帯状のフィルムを被着物胴部に巻き付けている。
またフィルムが感熱接着性フィルムである場合は、フィルムを吸着して移送する貼付ドラムの周囲に熱風ヒータ等の加熱手段を配備していて、加熱手段が移送中のフィルムの裏面を加熱して貼付直前に接着性を付与している。
【特許文献１】特開２００３−１３７２３５号公報
【発明の開示】
【発明が解決しようとする課題】
【０００３】
前記したフィルムの巻着技術にあっては、被着物胴部の断面形状が多角形を呈する場合に、以降に列挙するような解決すべき課題があるためにフィルムを巻着することが技術的に難しい。
（１）貼付ドラムの貼付面は回転中心から等しい半径の円弧面として形成されていて、その貼付面の周速度が一定であるのに対して、断面形状が多角形を呈する被着物は、その回転中心から胴部外周面までの距離が一定ではないために、被着物に等速回転を与えても胴部の周速度が一定にならない。
そのため、フィルムを弛みなく巻き付けるためには、貼付ドラムと被着物の周速度を同調させる必要があるが、互いに周速度の異なる貼付ドラムと被着物の回転を同調させることが技術的に難しい。
（２）フィルムを被着物胴部に巻着するためには、上記した周速度の等速条件だけでなく、フィルムの巻き付けを終えるまでの間、被着物胴部の外周面を貼付ドラムの貼付面に接触させ続ける必要がある。
断面形状が多角形を呈する被着物は、その回転中心から胴部外周面までの距離が一定でないため、多角形の被着物胴部の角部が貼付ドラムの貼付面に当たってしまう等の問題がある。
そのため、多角形の被着物の場合、被着物胴部の外周面を貼付ドラムの貼付面に接触させ続けることが技術的に難しい。
【０００４】
本発明の出願人は上記した問題を解決するラベリングマシンを特願２００６−２１１０４１として先に提案した。
このラベリングマシンは、貼付ドラムの貼付面の一部に逃げ部を凹設したもので、多角形の被着物の角部を貼付ドラムの貼付面に衝突させずに回転させて被着物胴部にフィルムを巻き付けできるように構成したものである。
貼付ドラムについて詳しく説明すると、その外周面にはフィルムの前端部と後端部のみを吸着する前端吸着部と後端吸着部とをそれぞれ形成していて、これらの両吸着部の間に逃げ部を形成した構造に成っている。
【０００５】
前記したフィルムの巻着技術にはつぎのような解決すべき課題がある。
（１）フィルムの前後端部を貼付ドラムの吸着部に吸着させたときに、フィルムの中間部と逃げ部との間に隙間が生じる。
フィルムの中間部が貼付ドラムの周面から離れて隙間を生じていると、移送中にフィルムがバタつくだけでなく、加熱手段により従来と同じ温度で加熱してもこの隙間が原因でフィルムが熱収縮を起こしたり、フィルムが溶融したりするといった問題がある。
（２）加熱手段よる加熱温度はマシンの運転速度に比例して高くなるが、前記したように、貼付ドラムの周面から離れたフィルムの熱収縮等の問題を解決できないことから、フィルムの巻着速度の高速化に対応することができない。
【０００６】
本発明は以上の問題点を解決するために成されたもので、その目的とするところは、被着物の断面形状が多角形を呈する場合であっても、被着物の回転を阻害することなく、且つフィルムの加熱による損傷を回避してフィルムを綺麗に巻着できる、フィルム巻着技術を提供することにある。
さらに本発明の目的は、フィルムの巻着を高速で行なえるフィルム巻着技術を提供することにある。
【課題を解決するための手段】
【０００７】
本願の第１発明は、少なくともフィルム供給手段と、断面形状が多角形を呈する被着物の搬送手段と、前記両手段の間に配設した負圧吸引式の貼付ドラムとを具備し、フィルム供給手段から供給されたフィルムを貼付ドラムの外周面に吸着して移送しつつ、被着物の搬送手段によりフィルムの供給と同期して搬送される被着物を回転させて被着物の外周面にフィルムを巻き付け、該フィルムの前端部に後端部を貼り合わせるフィルムの巻着装置であって、前記貼付ドラムの外周面の一部に、被着物の回転を許容する逃げ部を凹設するとともに、逃げ部を形成した貼付ドラムの外周面にフィルムの吸着長さを補完する中間補完部を隆起させて、または窪ませて形成したことを特徴とする、フィルム巻着装置を提供する。
本願の第２発明は、前記した第１発明において、フィルムが感熱接着性フィルムであることを特徴とする、ラベル貼付装置を提供する。
本願の第３発明は、前記した第１発明において、貼付ドラムの逃げ部を形成した外周面と中間補完部の外周面とに複数の吸引孔を形成してフィルムの全体を吸着可能に構成したことを特徴とする、ラベル貼付装置を提供する。
【発明の効果】
【０００８】
本発明は、貼付ドラムの逃げ部を形成した外周面に中間補完部を設けてフィルムの吸着長さを補完することとしたので、断面形状が多角形を呈する被着物に対して、被着物の回転を阻害することなく、且つフィルムの加熱による損傷を回避して被着物の外周面にフィルムを綺麗に巻着することができる。
【０００９】
さらに本発明は、貼付ドラムの逃げ部を形成した外周面に中間補完部を設けることでフィルムの全体を貼付ドラムの外周面に隙間なく吸着できるので、加熱手段の加熱温度を上昇させてもフィルムの熱収縮等の問題を回避できる。
そのため、従来まで実現が困難とされていたフィルムの巻着速度の高速化が可能となる。
【発明を実施するための最良の形態】
【００１０】
以下、図面を参照しながら本発明を実施するための最良の形態について説明する。
【００１１】
（１）フィルム巻着装置の概要
図２にフィルム巻着装置を具備したラベリングマシンのモデル図を示す。
図中符号Ａは被着物で、その胴部の断面形状が多角形を呈している。
被着物Ａは例えば、プラスチック製容器（ＰＥＴボトル、ＰＰボトル、ＰＥボトル等）、紙製容器、ガラス製容器、金属製容器等を含むものである。
本発明でいうところの「多角形」とは、被着物Ａの回転中心に対して胴部外周までの距離が不均一である形状（非円形形状）を意味するもので、具体的には例えば三角形以上の多角形を含むことは当然であるが、これら多角形の一部に円弧形を介在した多辺形状や、楕円形等も含むものである。
【００１２】
本発明に係るフィルムの巻着装置は少なくともフィルム供給手段１０と、被着物Ａの搬送手段２０と、前記両手段１０，２０の間に配設した貼付ドラム３０とを具備し、殊に本発明は貼付ドラム３０の外周面に改良を加えたものである。
貼付ドラム３０の近傍にはフィルムへ向けて熱を与えて接着性を付与する加熱手段４０が配設されている。
以降に各部について詳述する。
【００１３】
（２）フィルム供給手段
フィルム供給手段１０は、被着物Ａの胴部外周面に巻き付け可能な長さを有するフィルムＦを一枚単位で供給するフィルム供給部と、一枚単位で供給されたフィルムＦを周面に吸着して貼付ドラム３０まで搬送する負圧吸引式の中継ドラム１１と、中継ドラム１１の周面に接近して設けたガイド１２等を具備している。
フィルム供給手段１０で受け取ったフィルムＦを吸着して貼付ドラム３０へ搬送する中継ドラム１１の吸着手段は、周知の負圧吸引構造を適用できる。
【００１４】
フィルムＦは表面に所定の印刷を施したラベルで、その裏面の前端部と後端部には感熱性の接着剤が予め塗布されている。
フィルムＦは、公知のロールラベル、枚葉ラベル、タッグラベルを含み、またその素材は樹脂製フィルムに限定されず、紙製も含むものである。
【００１５】
（３）被着物の搬送手段
本例では、貼付ドラム３０へ向けて被着物Ａを搬送する搬送手段２０が、被着物Ａの上下部を図外の保持部で保持しつつ連続移動させる公知のロータリー移動方式の回転移動手段である場合について説明する。
【００１６】
被着物Ａの搬送手段２０の供給側（図２の左方）には、回転式の搬入スター２１が配設され、搬入路２２を経て供給される被着物Ａは搬入スター２１を通じて被着物Ａの搬送手段２０へ供給される。
被着物Ａの搬送手段２０の排出側（図２の右方）には、回転式の搬出スター２３が配設され、フィルムの巻着を完了した被着物Ａは搬出スター２３を介して搬送手段２０から搬出路２４へ排出される。
【００１７】
尚、被着物Ａの搬送手段２０の排出側の周囲にローラ式の仕上げ装置２５を設置しているが、仕上げ装置２５は必須ではない。
【００１８】
ロータリー移動方式の搬送手段２０は、被着物Ａの上下部を保持する上下一対の保持部を具備し、回転軸２０ａを中心として等間隔に配置されたこれら複数組の保持部が反時計回り方向に向けて旋回する。上下一対の保持部に保持された被着物Ａは旋回途中で貼付ドラム３０と出会うように構成されている。
【００１９】
上下一対の保持部のうち、被着物Ａの上部を拘束する上保持部は昇降自在で、かつ空転式に構成される。
また少なくとも被着物Ａの胴部外周面にフィルムを巻き付ける区間は、被着物Ａの底部を支持する下保持部２０ｂが一方向（図２では反時計回り方向）に向けて回転するように構成されている。
被着物Ａを回転（自転）させる手段としては、例えば下保持部２０ｂと一体の支軸をサーボモータで以って回転制御したり、板カムとローラを組み合わせた公知の回転カム機構を用いて回転制御したりする方法を適用できる。
すなわち、被着物Ａは回転軸２０ａを中心に公転しつつ、上下一対の保持部の支軸を中心に自転可能に保持されている。
【００２０】
（４）貼付ドラム
貼付ドラム３０は回転軸３１を中心として一方向に回転する負圧吸引式の回転ドラムである。
【００２１】
従来の貼付ドラムは一枚のフィルムを吸着する貼付面が、ドラムの回転中心から等距離の円弧面として形成していた。
【００２２】
本発明では図１，３に拡大して示すように貼付ドラム３０の周面には、所定の距離を隔てながら回転方向に沿って、前端貼付突部３２、中間補完部３３、後端貼付突部３４が順に形成されているとともに、隣り合う各突部３２と３３の間、および隣り合う突部３３と３４の間には外周面を回転軸２１側に窪ませて逃げ部３５が形成されている。
【００２３】
逃げ部３５はフィルムＦの巻き付け時に被着物Ａの角部がドラム外周面と接触するのを回避して被着物Ａの回転を許容するために機能する空間であるから、その凹設深さは被着物Ａの回転径を考慮して適宜選択する。
【００２４】
前端貼付突部３２と後端貼付突部３４の外周面には貼付面３２ａ，３４ａが形成されている。
これらの貼付面３２ａ，３４ａは一枚のフィルムＦの前後端部Ｆ1，Ｆ2をそれぞれ吸着して被着物Ａの胴部外周面に接触し得る貼付面として機能する面で、ドラムの回転中心から等距離の円弧面、または平面として形成されている。
また前端貼付突部３２と後端貼付突部３４の貼付面３２ａ，３４ａを除いた外周面は、被着物Ａの回転を阻害しないように中間補完部３３へ向けて徐々に窪んだ面として形成されている。
【００２５】
フィルムＦの全体を貼付ドラム３０の外周面に吸着させるため、前端貼付突部３２、中間補完部３３および後端貼付突部３４の外周面には、多数の吸引孔３６が露出して形成されている。
すなわち、フィルムＦの前後端部Ｆ1，Ｆ2を貼付ドラム３０の貼付面３２ａ，３４ａに吸着させつつ、フィルムＦの前後端部Ｆ1，Ｆ2以外の範囲を貼付面３２ａ，３４ａを除いた各突部３２〜３４の外周面に沿わせて吸着できるように負圧孔３６が形成されている。
【００２６】
図３，４に示すように、これらの吸引孔３６群はその一端を貼付ドラム３０の底部に露出させ、貼付ドラム３０の底部に接面させて設けた固定式の分配器３７の上面に円弧形の負圧溝３７ａを形成することで、貼付ドラム３０の底部に露出した吸引孔３６が分配器３８の負圧溝３７ａの真上を通過するときに貼付ドラム３０の外周面に露出した吸引孔３６に負圧が発生するように構成されている。
【００２７】
貼付ドラム３０の外周面の吸引孔３６に負圧を発生させる区間は、図２に負圧溝３７ａを破線で示したように、中継ドラム１１から受け取ったフィルムＦを吸着して搬送手段２０で搬送される被着物Ａと出会うまでの区間である。
【００２８】
（５）中間補完部の設置理由
貼付ドラム３０に中間補完部３３を設けたのは、被着物Ａの回転と公転を許容させつつ、フィルムＦの全体を貼付ドラム３０の外周面に吸着させるためである。
以下にその設置理由について詳しく説明する。
【００２９】
被着物Ａの公転半径と貼付ドラム３０の半径との関係、さらにはこれらと被着物Ａの回転半径との関係等から、貼付ドラム３０によるフィルムＦの前端部Ｆ1と後端部Ｆ2の貼付け位置が限定される。
そのため、前端貼付突部３２と後端貼付突部３４の両貼付面３２ａ，３４ａの設置間隔が決められてしまい、両貼付面３２ａ，３４ａの間隔を自由に広げることができない。
【００３０】
また貼付ドラム３０に逃げ部３５を形成したため、貼付ドラム３０の外周面にフィルムＦを吸着する長さが不足する。
このフィルムＦの吸着長さの不足分を補い、フィルムＦの全体を弛みなく吸着するために、逃げ部３５に中間補完部３３を設けたものである。
【００３１】
そこで本発明では、フィルムＦの吸着長さを補完する手段として、前端貼付突部３２と後端貼付突部３４の間に中間補完部３３を形成することとし、これによりフィルムＦの全体を貼付ドラム３０の外周面に隙間なく吸着させることを可能とするものである。
したがって、フィルムＦの全長に応じて中間補完部３３の隆起した面の長さを選択すればよい。
中間補完部３３の突出高さと形成位置は、中間補完部３３が被着物Ａと衝突しないように適宜選択する。
また、中間補完部３３の断面形状は図示した台形形状に限定されず、その他に円弧形や角形等でもよく、上記した長さ調整機能を具備していればその断面形状に特別制限はない。
【００３２】
（６）加熱手段
貼付ドラム３０の外周面に向けて配設した加熱手段４０は、被着物Ａに巻き付ける直前のフィルムの裏面を加熱して接着性を付与するもので、例えば公知の熱風ヒータや無風ヒータ等を採用できる。
【００３３】
（７）巻着方法
つぎにフィルムの巻着方法について説明する。
【００３４】
［被着物の供給工程］
【００３５】
図２において、搬入路２２に位置する起立状態の被着物Ａは、を経て搬入スター２１を通じて搬入路２２からロータリー移動方式の搬送手段２０へ供給される。
被着物Ａは搬送手段２０の上下一対の保持部に保持され、回転軸２０ａを中心として旋回移動する。
【００３６】
［フィルムの供給工程］
図２において、フィルム供給手段１０は、中継ドラム１１の外周面に向けて一枚単位でフィルムＦの供給を開始する。
フィルム供給手段１０から供給されたフィルムＦは、その裏面を負圧吸引式の中継ドラム１１の外周面に吸着されて貼付ドラム３０へ向け搬送され、その後、フィルムＦはその表面を負圧吸引式の貼付ドラム３０の外周面に吸着されて搬送される。
【００３７】
図５を基に中継ドラム１１から貼付ドラム３０の外周面へフィルムＦの受け渡しについて説明する。
中継ドラム１１の外周面と貼付ドラム３０の外周面が最も接近したフィルムＦの受け渡し地点では、中継ドラム１１の外周面の負圧が切れる一方、貼付ドラム３０の外周面では負圧の発生を開始する。
【００３８】
そのため、中継ドラム１１の外周面に吸着されたフィルムＦの前端部Ｆ1が、貼付ドラム３０に受け渡されて前端貼付突部３２の貼付面３２ａに吸着される。
フィルムＦの前端部Ｆ1以降も同様に貼付ドラム３０の中間補完部３３および後端貼付突部３４の外周面に順次吸着される。
最後にフィルムＦの後端部Ｆ2が後端貼付突部３４の貼付面３４ａに吸着される。
図３はフィルムＦの全体を貼付ドラム３０の外周面に隙間なく吸着させた状態を示す。
【００３９】
このように、前端貼付突部３２と後端貼付突部３４の間に中間補完部３３を設けてフィルムＦの吸着長さを調整できるので、フィルムＦの全長が貼付ドラム３０の前後端貼付突部３２，３４の両貼付面３２ａ，３４ａ間の距離を超えた長さであっても、フィルムＦの全体を弛みなく貼付ドラム３０の外周面に吸着させることができる。
フィルムＦはその全体を貼付ドラム３０の外周面に隙間なく吸着されてフィルムＦのバタつきを確実に防止できるので、フィルムＦの高速搬送が可能となる。
【００４０】
［フィルムの加熱工程］
【００４１】
図２において、貼付ドラム３０の外周面に吸着したフィルムＦが加熱手段４０を通過するとき、加熱手段４０によりフィルムＦの裏面が加熱される。
その結果、フィルムＦの裏面の前端部Ｆ1と後端部Ｆ2に予め塗布された感熱性の接着剤に接着性が付与される。
瞬時に感熱性接着剤を溶融させる必要性からフィルムＦには数１００℃にもおよぶ超高温が加えられる。
そのため、貼付ドラム３０の外周面とフィルムＦの間に僅かでも隙間があると、フィルムＦの収縮や燃焼事故が発生する。
本発明ではフィルムＦの全体が貼付ドラム３０の外周面に隙間なく吸着されているので、超高温で加熱されてもフィルムＦが収縮したり燃焼したりすることがない。
【００４２】
［フィルムの巻着工程］
図６は搬送手段２０により旋回搬送された被着物Ａの胴部外周面に、貼付ドラム３０の外周面に吸着させたフィルムを巻付けるモデル図を示す。
フィルムを外周面に吸着させた貼付ドラム３０は時計方向に回転し、被着物Ａを保持した搬送手段２０は反時計方向に回転する。
被着物ＡとフィルムＦが巻着区間Ｌを通過するとき、被着物Ａが反時計方向に回転制御されて被着物Ａの胴部にフィルムＦが巻着される。
【００４３】
図７は貼付ドラム３０の前端貼付突部３２の貼付面３２ａに吸着したフィルムＦの前端部Ｆ1が被着物Ａの胴部外周面と出会ってから、貼付ドラム３０の後端貼付突部３４の貼付面３４ａに吸着したフィルムＦの後端部Ｆ2がフィルムＦの前端部Ｆ1に貼付されるまでの巻着の運行を直線的に表したモデル図を示す。
図７において説明の便宜を図るため、被着物Ａの角部を時計回り方向にＡ1〜Ａ4と表して説明する。
【００４４】
まず最初は図７の右方に示すように、貼付ドラム３０の前端貼付突部３２の貼付面３２ａに吸着されたフィルムＦの前端部Ｆ1が被着物Ａの第１角部Ａ1と出会って接着される。
被着物Ａは反時計方向に回転されるため、被着物Ａの胴部外周面にフィルムＦがシワのない状態で巻き付けられる。
【００４５】
被着物Ａが反時計方向に回転するとき、被着物Ａの第２角部Ａ2が貼付面３２ａよりドラムの回転中心側に入り込んでくる。
逃げ部３５は被着物Ａの第２角部Ａ2がドラムの内側に入り込んでくることを許容する。
そのため、被着物Ａの第２角部Ａ2は貼付ドラム３０の外周面と衝突することがない。被着物Ａは回転を続けることで胴部外周面にフィルムＦが順次巻き付けられる。
自転しながら公転を続ける被着物Ａは中間補完部３３を乗り越える際にも第３角部Ａ3、第４角部Ａ4が貼付ドラム３０の外周面と衝突することを回避できる。
以上のように、貼付ドラム３０に逃げ部３５を形成したことで、貼付ドラム３０の外周面に接触せずに被着物Ａの回転が可能となるので、被着物Ａの胴部外周面に付着させてフィルムＦをシワのないきれいな状態で巻き付けることができる。
【００４６】
図７の左方に示すように、フィルムＦの巻着区間の終端に達すると、貼付ドラム３０の後端貼付突部３４の貼付面３４ａに吸着されたフィルムＦの後端部Ｆ2が先行して接着した前端部Ｆ1の表面に接着される。
被着物Ａの胴部外周面に巻き付けられたフィルムＦはその前端部Ｆ1と前端部Ｆ2とが重合して筒状に形成される。
【００４７】
（８）その他の実施の形態
以上は貼付ドラム３０の前端貼付突部３１と後端貼付突部３３の間に中間補完部３３をひとつだけ突設した場合について例示したが、フィルムＦの長さ調整量が長い場合はドラムの回転方向に沿って複数の中間補完部３３を設けてもよい。
【００４８】
また、以上は貼付ドラム３０の外周面に中間補完部３３を突設させた場合について説明したが、図８に示すように逃げ部３５を形成した貼付ドラム３０の外周面に、中間補完部３３´を窪ませて形成してもよい。
また、逃げ部３５を形成した貼付ドラム３０の外周面に、突出した中間補完部３３と窪ませた中間補完部３３´を組み合わせてもよい。
【００４９】
また以上は被着物Ａの搬送手段２０が公知のロータリー移動方式の回転移動手段である場合について説明した。
その他に被着物Ａの搬送手段２０としては、貼付ドラム３０の外周面に沿って円弧状の通路を形成し得るように、貼付ドラム３０の外方向に該ドラム外周面と対向して湾曲する壁やベルトを設け、円弧状の通路を経て搬送される被着物Ａの搬送軌跡が貼付ドラム３０の貼付面の一部の回転軌跡と並行に形成した公知の湾曲通路移動手段であってもよい。
【図面の簡単な説明】
【００５０】
【図１】本発明に係るフィルム巻着装置の一部を省略した斜視図
【図２】フィルム巻着装置を具備したラベリングマシンのモデル図
【図３】貼付ドラムの部分拡大図
【図４】図４におけるＩＶ−ＩＶの断面図
【図５】中継ドラムと貼付ドラムの一部を省略したフィルムの受け渡し工程の説明図
【図６】被着物にフィルムを巻着する工程の説明図
【図７】被着物にフィルムを巻着する工程のモデル説明図
【図８】他の実施の形態に係る貼付ドラムの部分拡大図
【符号の説明】
【００５１】
Ａ・・・・・・被着物
Ｆ・・・・・・フィルム
Ｆ1・・・・・フィルムの前端部
Ｆ2・・・・・フィルムの後端部
１０・・・・・フィルム供給手段
２０・・・・・被着物の搬送手段
３０・・・・・貼付ドラム
３２・・・・・前端貼付突部
３３・・・・・中間補完部
３４・・・・・後端貼付突部
３５・・・・・逃げ部
３６・・・・・吸引孔
３１・・・・・回転軸
４０・・・・・加熱手段
【図１】
2008308198.tif 000003
【図２】
2008308198.tif 000004
【図３】
2008308198.tif 000005
【図４】
2008308198.tif 000006
【図５】
2008308198.tif 000007
【図６】
2008308198.tif 000008
【図７】
2008308198.tif 000009
【図８】
2008308198.tif 000010